(57)【特許請求の範囲】
【請求項１】
商品のバーコードを読取るバーコードリーダからの情報を入力する情報端末装置であって数量又は日付を入力する操作部と前記入力された情報を表示する表示部とを有する携帯情報端末の表示部側の端部を取付ける第１取付部と、
この第１取付部の背面に設けられ、前記バーコードリーダに設けられた読取口を前記携帯情報端末装置の表示部とは逆の方向に向けて、前記バーコードリーダを取付ける第２取付部と、を具備し、前記バーコードリーダが前記携帯情報端末の表示部を覆わないように前記バーコードリーダを前記携帯端末に対して重なった状態で取付けるバーコードリーダ取り付け具であって、前記第１取付部はその端部に、前記バーコードリーダの読取口の長手方向と直交する方向に回動するバーコードリーダ収納部を前記第２取付部として有し、当該バーコードリーダ収納部には、前記バーコードリーダが取り付けられることを特徴とするバーコードリーダ取り付け具。
【請求項２】
商品のバーコードを読取るバーコードリーダと、
このバーコードリーダと接続され前記バーコードリーダからの情報を入力する入力部と、
数量又は日付を入力する操作部と、
この操作部から入力された情報を表示する表示部と、
この表示部の近傍に取付けられる第１取付部とこの第１取付部の背面に設けられ前記バーコードリーダに設けられた読取口を前記表示部とは逆の方向に向けて前記バーコードリーダを取付ける第２取付部とを有するバーコードリーダ取り付け具と、を具備し、このバーコードリーダ取り付け具は、前記バーコードリーダが前記表示部を覆わないように前記バーコードリーダを端末本体に重なった状態で取付ける携帯情報端末において、
前記第１取付部はその端部に、前記バーコードリーダの読取口の長手方向と直交する方向に回動するバーコードリーダ収納部を前記第２取付部として有し、当該バーコードリーダ収納部には、前記バーコードリーダが取り付けられていることを特徴とする携帯情報端末。
【発明の詳細な説明】
【０００１】
【発明の属する技術分野】
この発明は、バーコードリーダを他の機器に取り付けるためのバーコードリーダ取り付け具および携帯情報端末に関するものである。
【０００２】
【従来の技術】
スーパーマーケットやコンビニエンスストアなどで、在庫管理、棚おろし等の業務を行う時、商品のバーコードを読み取るバーコードリーダと、バーコードリーダからの情報に数量、日付などをキー入力して加工、収集して、ホストコンピュータに転送する携帯情報端末が必要とされる。従来、このような業務には、図１５に示すように、汎用の携帯情報端末にバーコードリーダのケーブルを接続して、各々分離して操作するものと、図１６に示すように携帯情報端末とバーコードリーダが同一ケース内に一体化されたものが使われてきた。
【０００３】
また、近年、バーコードリーダについては、カードサイズ、名刺サイズ以下の非常に小型軽量のものが開発されてきている。
【０００４】
【発明が解決しようとする課題】
携帯情報端末とバーコードリーダが同一ケース内に一体化されたものは、各々分離して操作するものに比べ、操作時両手をふさがないなど操作性に優れているが、汎用機種でないため高価である。
【０００５】
したがって、この発明の目的は、携帯情報端末とバーコードリーダが同一ケース内に一体化されたものと同様の操作性を有するとともに製造コストを抑制できるバーコードリーダ取り付け具および携帯情報端末を提供することである。
【０００６】
【課題を解決するための手段】
上記課題を解決するために、請求項１の発明は、商品のバーコードを読取るバーコードリーダからの情報を入力する情報端末装置であって数量又は日付を入力する操作部と前記入力された情報を表示する表示部とを有する携帯情報端末の表示部側の端部を取付ける第１取付部と、この第１取付部の背面に設けられ、前記バーコードリーダに設けられた読取口を前記携帯情報端末装置の表示部とは逆の方向に向けて、前記バーコードリーダを取付ける第２取付部と、を具備し、前記バーコードリーダが前記携帯情報端末の表示部を覆わないように前記バーコードリーダを前記携帯端末に対して重なった状態で取付けるバーコードリーダ取り付け具であって、前記第１取付部はその端部に、前記バーコードリーダの読取口の長手方向と直交する方向に回動するバーコードリーダ収納部を前記第２取付部として有し、当該バーコードリーダ収納部には、前記バーコードリーダが取り付けられる。また、請求項２の発明は、商品のバーコードを読取るバーコードリーダと、このバーコードリーダと接続され前記バーコードリーダからの情報を入力する入力部と、数量又は日付を入力する操作部と、この操作部から入力された情報を表示する表示部と、この表示部の近傍に取付けられる第１取付部とこの第１取付部の背面に設けられ前記バーコードリーダに設けられた読取口を前記表示部とは逆の方向に向けて前記バーコードリーダを取付ける第２取付部とを有するバーコードリーダ取り付け具と、を具備し、このバーコードリーダ取り付け具は、前記バーコードリーダが前記表示部を覆わないように前記バーコードリーダを端末本体に重なった状態で取付ける携帯情報端末において、前記第１取付部はその端部に、前記バーコードリーダの読取口の長手方向と直交する方向に回動するバーコードリーダ収納部を前記第２取付部として有し、当該バーコードリーダ収納部には、前記バーコードリーダが取り付けられている。
【０００７】
上記のように構成したバーコードリーダ取り付け具により、汎用の携帯情報端末に対して、小型のバーコードリーダを読み取りのできる状態で保持することが可能となる。このため、操作時に両手を使う必要がない等、携帯情報端末とバーコードリーダが同一ケース内に一体化されたものと同様の操作性を得ることができる。また、既存の汎用携帯情報端末を利用できるため、携帯情報端末とバーコードリーダが同一ケース内に一体化されたものに比べて安価である。
【００２０】
【発明の実施の形態】
この発明の第１の実施の形態を図１に基づいて説明する。図１はこの発明の第１の実施の形態のバーコードリーダ取り付け具の取付状態の斜視図である。図１において、１は携帯情報端未、２は携帯情報端末１のケース面に粘着剤により固定されたプラスチック成形品であるバーコードリーダ取り付け具、３はバーコードリーダ、４は携帯情報端末１のインターフェースコネクタと接続しているバーコードリーダ３の通信ケーブルである。携帯情報端末１は、従来例と同様に商品のバーコードを読み取るバーコードリーダからの情報に数量、日付などをキー入力して加工、収集して、ホストコンピュータに転送する。バーコードリーダ３は、カードサイズ、名刺サイズ以下の非常に小型軽量のものが使用でき、読み取り口５によりバーコードを読み取る。バーコードリーダ取り付け具２は、携帯情報端末１に上記のように取り付けられるとともに、バーコードリーダ３をバーコードの読み取りのできる状態で保持することができる。
【００２１】
このような構成において、バーコードリーダ３はバーコードリーダ取り付け具２にねじ２ａで固定され、読み取り口５からレーザービームを携帯情報端末の前方向イに射出してバーコードに当て、その反射光を受光して電気信号化、信号処理を行い、通信ケーブル４を通じて携帯情報端末１にバーコードデータの転送を行う。
【００２２】
以上のようにこの実施の形態によれば、バーコードリーダ取り付け具２により、汎用の携帯情報端末１に対して、小型のバーコードリーダを読み取りのできる状態で保持することが可能となる。このため、操作時に両手を使う必要がない等、携帯情報端末１とバーコードリーダ３が同一ケース内に一体化されたものと同様の操作性を得ることができる。また、既存の汎用携帯情報端末１を利用できるため、携帯情報端末１とバーコードリーダ３が同一ケース内に一体化されたものに比べて安価である。
【００２３】
この発明の第２の実施の形態を図２に基づいて説明する。図２（ａ）はこの発明の第２の実施の形態のバーコードリーダ取り付け具の取付状態の上方から見た斜視図、（ｂ）はその下方から見た斜視図である。図２（ａ），（ｂ）において、６は携帯情報端末、７はバーコードリーダ、８は液晶表示部、キースイッチ部、インターフェースコネクタ等に対応した開口部を持ち、携帯情報端末全体を覆う革（皮）製のバーコードリーダ取り付け具、９はバーコードリーダ取り付け具８に設けられた携帯情報端末６の前方向ロに開口部を持つボケット状のバーコードリーダ収納部、１０は携帯情報端末６のインターフェースコネクタと接続しているバーコードリーダ７の通信ケーブルである。携帯情報端末６、バーコードリーダ７は第１の実施の形態と同様である。バーコードリーダ取り付け具８は、上記のように携帯情報端末６の少なくとも表示部６ａと操作部６ｂを開放し、もしくは表示部６ａと操作部６ｂに透明部を形成して覆った皮製、樹脂製または布製のケースである。バーコードリーダ収納部９は、バーコードリーダ７をバーコードの読み取りのできる状態で収納する。
【００２４】
このような構成において、バーコードリーダ７はバーコードリーダ収納部９に収納され、読み取り口１１からレーザービームを携帯情報端末６の前方向ロに射出してバーコードに当て、その反射光を受光して電気信号化、信号処理を行い、通信ケーブル１０を通じて携帯情報端末６にバーコードデータの転送を行う。
【００２５】
以上のようにこの実施の形態によれば、皮製、樹脂製または布製のバーコードリーダ取り付け具８が携帯情報端末６を覆うことにより落下による衝撃を和らげることができる。
【００２６】
この発明の第３の実施の形態を図３に基づいて説明する。図３（ａ）はこの発明の第３の実施の形態のバーコードリーダ取り付け具の取付状態の上方から見た斜視図、（ｂ）はその下方から見た斜視図である。図３（ａ），（ｂ）において、１１は携帯情報端末、１２はバーコードリーダ、１３はバーコードリーダ取り付け具、１４ａ，１４ｂはバーコードリーダ取り付け具１３に軸１５ａ，１５ｂまわりに回動可能に取り付けられたヒンジ、１６ａ，１６ｂはヒンジ１５ａ，１５ｂに付勢を与えるトーションばね、１７はバーコードリーダ取り付け具１３に設けられたバーコードリーダ収納部、１８は携帯情報端末６のインターフェースコネクタと接続しているバーコードリーダ１２の通信ケーブルである。携帯情報端末１１、バーコードリーダ１２は第１の実施の形態と同様である。バーコードリーダ取り付け具１３は、上記のようにヒンジ１４ａ，１４ｂ、トーションばね１６ａ，１６ｂ等で携帯情報端末１１のケースの一部を挟持することにより取り付けられる。バーコードリーダ収納部１７は、バーコードリーダ１２をバーコードの読み取りのできる状態で収納する。
【００２７】
このような構成において、バーコードリーダ取り付け具１３は携帯情報端末１１に対して携帯情報端末１１のケースをヒンジ１４ａ，１４ｂがトーションばね１６ａ，１６ｂの付勢を受けて挟持することにより取り付けられ、バーコードリーダ１２はバーコードリーダ収納部１７に収納されねじ１３ａで固定され、読み取り口１９からレーザービームを携帯情報端未の前方向ハに射出してバーコードに当て、その反射光を受光して電気信号化、信号処理を行い、通信ケーブル１８を通じて携帯情報端末１１にバーコードデータの転送を行う。
【００２８】
以上のようにこの実施の形態によれば、バーコードリーダ取り付け具１３を携帯情報端末１１に対して簡単に着脱することができる。
【００２９】
この発明の第４の実施の形態を図４および図５に基づいて説明する。図４はこの発明の第４の実施の形態のバーコードリーダ取り付け具の取付状態の斜視図、図５はこの発明の第４の実施の形態の要部断面図である。図４および図５において、２０は携帯情報端末、２１はバーコードリーダ、２２は革製のバーコードリーダ取り付け具、２３はバーコードリーダ取り付け具２２に設けられたボケット状のバーコードリーダ収納部、２４はバーコードリーダ収納部２３に形成されたコの字状の切り欠き、２５は切り欠き２４に囲まれた部分の裏側に取り付けられたマジックテープ、２６はバーコードリーダ２１に取り付けられたマジックテープ、２１ａは携帯情報端末２０のインターフェースコネクタと接続しているバーコードリーダ２１の通信ケーブルである。携帯情報端末２０、バーコードリーダ２１は第１の実施の形態と同様である。バーコードリーダ取り付け具２２は、バーコードリーダ２１が、バーコードリーダ収納部２３から脱落しないように保持するとともに取り外すことも可能なバーコードリーダ着脱手段を有する。この場合、バーコードリーダ着脱手段は、バーコードリーダ収納部２３とバーコードリーダ２１にそれぞれ取り付けられたマジックテープ２５，２６からなる。
【００３０】
このような構成において図５に示すように切り欠き２４に囲まれた部分を図中のニ方向引っ張り、マジックテープ２５とマジックテープ２６を引き剥がすことより、バーコードリーダ収納部２３に保持されていたバーコードリーダー２１を離脱させることができる。また、バーコードリーダ２１をバーコードリーダ収納部２３に収納し、マジックテープ２５，２６どうしを取着することで、バーコードリーダ２１をバーコードの読み取りのできる状態で保持することができる。
【００３１】
以上のようにこの実施の形態によれば、バーコードリーダ着脱手段を設けたので、バーコードリーダ２１をバーコード取り付け具２２に着脱することができる。バーコードリーダ着脱手段は、バーコードリーダ収納部２３とバーコードリーダ２１にそれぞれ取り付けられたマジックテープ２５，２６からなるので、簡単にバーコードリーダ２１をバーコード取り付け具２２に対して着脱することができる。
【００３２】
この発明の第５の実施の形態を図６および図７に基づいて説明する。図６はこの発明の第５の実施の形態のバーコードリーダ取り付け具の取付状態の斜視図、、図７はこの発明の第５の実施の形態の要部断面図である。図６および図７において、２７は携帯情報端末、２８はバーコードリーダ、２９は樹脂製のバーコードリーダ取り付け具、３０はバーコードリーダ取り付け具２９に設けられたバーコードリーダ収納部、３１はバーコードリーダ収納部３０に形成され、バーコードリーダの凹部３２に係合する係止爪、２８ａは携帯情報端末２７のインターフェースコネクタと接続しているバーコードリーダ２８の通信ケーブルである。携帯情報端末２７、バーコードリーダ２８は第１の実施の形態と同様である。バーコードリーダ取り付け具２９は、第４の実施の形態と同様にバーコードリーダ着脱手段を有する。この場合、バーコードリーダ着脱手段は、バーコードリーダ２８に設けた被係合部（凹部３２）と、付勢力を持つようにバーコードリーダ収納部３０に設けられ被係合部に係脱自在に係合する係合部（係止爪３１）とからなる。
【００３３】
このような構成において図７に示すように係止爪３１を図中のホ方向に引っ張り、バーコードリーダ２８に凹部３２からはずすことにより、バーコードリーダ収納部２３に保持されていたバーコードリーダー２１を離脱させることができる。また、バーコードリーダ２８をバーコードリーダ収納部３０に収納し、係止爪３１と凹部３２を係止することで、バーコードリーダ２８をバーコードの読み取りのできる状態で保持することができる。
【００３４】
以上のようにこの実施の形態によれば、バーコードリーダ着脱手段は、バーコードリーダに設けた被係合部と、付勢力を持つようにバーコードリーダ収納部に設けられ被係合部に係脱自在に係合する係合部とからなるので、簡単にバーコードリーダ２８をバーコード取り付け具２９に着脱することができる。また、係合部と被係合部はその付勢力により一定の係合状態を保持できるとともに、係合状態か否かが明確に判別できる。
【００３５】
この発明の第６の実施の形態を図８に基づいて説明する。図８はこの発明の第６の実施の形態のバーコードリーダ取り付け具の取付状態の斜視図である。図８において、３３は携帯情報端末、３４はバーコードリーダ、３５は樹脂製のバーコードリーダ取り付け具、３６はバーコードリーダ取り付け具３５に設けられたバーコードリーダ収納部、３７はバーコードリーダ収納部３６に固定され、バーコードリーダの金属部３８に結合するマグネット、３４ａは携帯情報端末３３のインターフェースコネクタと接続しているバーコードリーダ３４の通信ケーブルである。携帯情報端末３３、バーコードリーダ３４は第１の実施の形態と同様である。バーコードリーダ取り付け具３５は、第４の実施の形態と同様にバーコードリーダ着脱手段を有する。この場合、バーコードリーダ着脱手段は、バーコードリーダ収納部３６およびバーコードリーダ３４の一方に設けたマグネット３７と、他方に設けたマグネット３７に結合する金属部３８とからなる。
【００３６】
このような構成において、バーコードリーダ３４はバーコードリーダ収納部３６に着脱可能に保持されている。また、バーコードリーダ３４をバーコードリーダ収納部３６に収納し、マグネット３７と金属部３８を結合することで、バーコードリーダ３４をバーコードの読み取りのできる状態で保持することができる。
【００３７】
以上のようにこの実施の形態によれば、バーコードリーダ着脱手段は、バーコードリーダ収納部およびバーコードリーダの一方に設けたマグネット３７と、他方に設けたマグネット３７に結合する金属部３８とからなるので、簡単にバーコードリーダ３４をバーコード取り付け具３５に着脱することができる。
【００３８】
この発明の第７の実施の形態を図９に基づいて説明する。図９はこの発明の第７の実施の形態のバーコードリーダ取り付け具の取付状態の斜視図である。図９において、３９は携帯情報端末、４０はバーコードリーダ、４１は樹脂製のバーコードリーダ取り付け具、４２はバーコードリーダ取り付け具４１の本体４１ａに設けられ、軸４３のまわりに回動可能に取り付けられたバーコードリーダ収納部、４０ａは携帯情報端末３９のインターフェースコネクタと接続しているバーコードリーダ４０の通信ケーブルである。携帯情報端末３９、バーコードリーダ４０は第１の実施の形態と同様である。軸４３およびバーコードリーダ収納部４２は、バーコードリーダ４０の姿勢を変えることができる可動手段を構成する。バーコードリーダ収納部４２は、バーコードリーダ４０をバーコードの読み取りのできる状態で収納する。
【００３９】
このような構成において、バーコードリーダ収納部４２に収納されたバーコードリーダ４０は軸４３まわりに回動することより、バーコードの読み取り方向も図中への範囲で変えることができる。
【００４０】
以上のようにこの実施の形態によれば、バーコードリーダ４０の姿勢を変え、バーコードの読み取り位置を変えることが出来ることによりバーコードの読み取り操作性を向上させることが出来る。
【００４１】
この発明の第８の実施の形態を図１０に基づいて説明する。図１０はこの発明の第８の実施の形態のバーコードリーダ取り付け具の取付状態の斜視図である。図１０において、４４は携帯情報端末、４５はバーコードリーダ、４６はバーコードリーダ取り付け具、４７はバーコードリーダ取り付け具４６に設けられたバーコードリーダ収納部、４８は携帯情報端末４４のインターフェースコネクタと接続しているバーコードリーダ取り付け具４６の通信ケーブル、４９はバーコードリーダ収納部４７に固定され通信ケーブル４８に接続しているコネクタ、５０はバーコードリーダ４５のインターフェースコネクタである。携帯情報端末３９、バーコードリーダ４０は第１の実施の形態と同様である。また、上記のようにバーコードリーダ収納部４７にバーコードリーダ４５のインターフェースコネクタ５０に対応したコネクタ４９が固定されている。バーコードリーダ収納部４７は、バーコードリーダ４５をバーコードの読み取りのできる状態で収納する。
【００４２】
このような構成において、バーコードリーダ４５はバーコードリーダ収納部４７に収納された時、バーコードリーダ４５のインターフェースコネクタ５０とバーコードリーダ収納部４７に固定されたコネクタ４９が連結して、バーコドリーダ４５はバーコードリーダ取り付け具４６を介して携帯情報端末４４と通信可能となる。
【００４３】
以上のようにこの実施の形態によれば、バーコードリーダをバーコードリーダ取り付け具に収納すると同時に通信用のコネクタを結合する事が出来る。
【００４４】
この発明の第９の実施の形態を図１１に基づいて説明する。図１１はこの発明の第９の実施の形態のバーコードリーダ取り付け具の取付状態の斜視図である。図１１において、５１は携帯情報端末、５２はバーコードリーダ、５３はバーコードリーダ取り付け具、５４はバーコードリーダ取り付け具５３に設けられたバーコードリーダ収納部、５５は携帯情報端末５１のインターフェースコネクタと接続しているバーコードリーダ取り付け具５３の通信ケーブル、５６はバーコードリーダ収納部５４に固定された光通信素子、５７は光通信用回路基板、５８はバーコードリーダ５２の光通信素子である。携帯情報端末５１、バーコードリーダ５２は第１の実施の形態と同様である。光通信素子５６，５８および光通信用回路基板５７は、バーコードリーダ５２に対して光学素子５６，５８によりデータの通信を行う光通信手段を構成する。バーコードリーダ収納部５４は、バーコードリーダ５２をバーコードの読み取りのできる状態で収納する。
【００４５】
このような構成において、バーコードリーダ５２はバーコードリーダ収納部５４に収納された時、バーコードリーダ５２の光通信素子５８とバーコードリーダ収納部５４に固定された光通信素子５６と対向して配置され、バーコドリーダ５２は光通信をすることによりバーコードリーダ取り付け具５３を介して携帯情報端末５１と通信可能となる。また、ＩｒＤＡ素子等による光通信ではバコードリーダ５２をバーコードリーダ収納部５４から離脱させて離れた距離にあっても通信可能である。
【００４６】
以上のようにこの実施の形態によれば、バーコードリーダ５２とバーコードリーダ取り付け具５３との間で無接点の光通信を行うことにより、第８の実施の形態等と比較してバーコードリーダ５２の頻繁な着脱による接点の壊れに対して信頼性を高めることが出来る。
【００４７】
この発明の第１０の実施の形態を図１２に基づいて説明する。図１２はこの発明の第１０の実施の形態のバーコードリーダ取り付け具の取付状態の斜視図である。図１２において、５９は携帯情報端末、６０はバーコードリーダ、６１はバーコードリーダ取り付け具、６２はバーコードリーダ取り付け具６１に設けられたバーコードリーダ収納部、６３は携帯情報端末５９のインターフェースコネクタと接続しているバーコードリーダ取り付け具６１の通信ケーブル、６４はバーコードリーダ取り付け具６１に内蔵された無線通信用回路基板とアンテナ、６５はバーコードリーダ６０に内蔵された無線通信用回路基板とアンテナである。携帯情報端末５９、バーコードリーダ６０は第１の実施の形態と同様である。無線通信用回路基板とアンテナ６４と無線通信用回路基板とアンテナ６５は、バーコードリーダに対してデータの通信を行う無線通信手段を構成する。バーコードリーダ収納部６２は、バーコードリーダ６０をバーコードの読み取りのできる状態で収納する。
【００４８】
このような構成において、バーコードリーダ６０は無線通信をすることによりバーコードリーダ取り付け具６１を介して携帯情報端末５９と通信可能となる。
【００４９】
以上のようにこの実施の形態によれば、バーコードリーダ６０をバーコードリーダ取り付け具６１から取り外して使用しても、バーコードリーダ６０は無線通信により携帯情報端末５９に対して遠距離でのワイヤレスで通信が出来る。
【００５０】
この発明の第１１の実施の形態を図１３に基づいて説明する。図１３はこの発明の第１１の実施の形態のバーコードリーダ取り付け具の取付状態の斜視図である。図１３において、６６は携帯情報端末、６７はバーコードリーダ、６８はバーコードリーダ取り付け具、６９はバーコードリーダ取り付け具６８に設けられたバーコードリーダ収納部、７０は携帯情報端末６６のインターフェースコネクタと接続しているバーコードリーダ取り付け具６８の通信ケーブル、７１はバーコードリーダ収納部６９に固定された光通信素子、７２は光通信用回路基板、７３はバーコードリーダ６７の光通信素子、７４はバーコードリーダ収納部６９に設けられた電源端子、７５はバーコードリーダ６７に設けられた電源端子である。携帯情報端末６６、バーコードリーダ６７は第１の実施の形態と同様である。電源端子７４，７５は、バーコードリーダに電源電圧を供給するための電源接続手段を構成する。バーコードリーダ収納部６９は、バーコードリーダ６７をバーコードの読み取りのできる状態で収納する。
【００５１】
このような構成において、バーコードリーダ６７はバーコードリーダ収納部６９に収納された時、バーコードリーダ６７の電源端子７５とバーコードリーダ収納部６９の電源端子７４が接触して、バーコドリーダ６７はバーコードリーダ取り付け具６８を介して携帯情報端末６６から電源電圧の供給を受ける。また、第９の実施の形態と同様にバーコドリーダ６７は光通信をすることによりバーコードリーダ取り付け具６８を介して携帯情報端末６６と通信可能となる。
【００５２】
以上のようにこの実施の形態によれば、バーコードリーダ６７はバーコードリーダ取り付け具６８に保持された時に電源電圧の供給を受けることにより自身の電池の消費を抑えることが出来る。
【００５３】
この発明の第１２の実施の形態を図１４に基づいて説明する。図１４はこの発明の第１２の実施の形態のバーコードリーダ取り付け具の取付状態の斜視図である。図１４において、７６は携帯情報端末、７７はバーコードリーダ、７８はバーコードリーダ取り付け具、７９はバーコードリーダ取り付け具７８に設けられたバーコードリーダ収納部、８０は携帯情報端末７６のインターフェースコネクタと接続しているバーコードリーダ取り付け具７８の通信ケーブル、８１はバーコードリーダ収納部７９に固定された光通信素子、８２は光通信用回路基板、８３はバーコードリーダ７７の光通信素子、８４はバーコードリーダ収納部７９に設けられた電源端子、８５はバーコードリーダ７７に設けられた電源端子、８６は充電用回路基板、８７はバーコードリーダ７７の２次電池である。携帯情報端末７６、バーコードリーダ７７は第１の実施の形態と同様である。電源端子８４，８５は、バーコードリーダ７７の２次電池８７を充電するための充電手段を構成する。バーコードリーダ収納部７９は、バーコードリーダ７７をバーコードの読み取りのできる状態で収納する。
【００５４】
このような構成において、バーコードリーダ７７はバーコードリーダ収納部７９に収納された時、バーコードリーダ７７の電源端子８５とバーコードリーダ収納部７９の電源端子８４が接触して、バーコドリーダ７７の２次電池８７は充電することができる。また、第９の実施の形態と同様にバーコドリーダ７７は光通信をすることによりバーコードリーダ取り付け具７８を介して携帯情報端末７６と通信可能となる。
【００５５】
以上のようにこの実施の形態によれば、バーコードリーダ７７はバーコード取り付け具７８に保持されて携帯情報端末７６に取り付けられた状態で２次電池８７の充電を受けることが出来る。
【００５６】
なお、上記実施の形態では、バーコードリーダとしてレーザビームを射出してバーコードに当て、その反射光を受光して電気信号化、信号処理を行うレーザー方式のバーコードリーダを用いたが、代わりに受光素子としてＣＣＤを使うＣＣＤ方式のバーコードリーダを用いても構わないことは明らかである。
【００５７】
【発明の効果】
この発明の請求項１記載のバーコードリーダ取り付け具によれば、バーコードリーダからの情報をホストコンピュータに転送する携帯情報端末に取り付けられるとともに、バーコードリーダをバーコードの読み取りのできる状態で保持可能としたので、汎用の携帯情報端末に対して、小型のバーコードリーダを読み取りのできる状態で保持することが可能となる。このため、操作時に両手を使う必要がない等、携帯情報端末とバーコードリーダが同一ケース内に一体化されたものと同様の操作性を得ることができる。また、既存の汎用携帯情報端末を利用できるため、携帯情報端末とバーコードリーダが同一ケース内に一体化されたものに比べて安価である。さらに、前記バーコードリーダが前記携帯情報端末の表示部を覆わないように前記バーコードリーダを前記携帯端末に対して重なった状態で取付けるので、携帯情報端末の表示部をバーコードリーダによって隠さずに、バーコードリーダを携帯情報端末に連結した状態の全体の長さを、バーコードリーダと携帯情報端末とを単純に合わせた長さより短くすることができる。また、バーコードリーダ収納部に収納されたバーコードリーダは回動することより、バーコードの読み取り方向も変えることができる。
【図面の簡単な説明】
【図１】この発明の第１の実施の形態のバーコードリーダ取り付け具の取付状態の斜視図である。
【図２】（ａ）はこの発明の第２の実施の形態のバーコードリーダ取り付け具の取付状態の上方から見た斜視図、（ｂ）はその下方から見た取付状態の斜視図である。
【図３】（ａ）はこの発明の第３の実施の形態のバーコードリーダ取り付け具の取付状態の上方から見た斜視図、（ｂ）はその下方から見た取付状態の斜視図である。
【図４】この発明の第４の実施の形態のバーコードリーダ取り付け具の取付状態の斜視図である。
【図５】この発明の第４の実施の形態の要部断面図である。
【図６】この発明の第５の実施の形態のバーコードリーダ取り付け具の取付状態の斜視図である。
【図７】この発明の第５の実施の形態の要部断面図である。
【図８】この発明の第６の実施の形態のバーコードリーダ取り付け具の取付状態の斜視図である。
【図９】この発明の第７の実施の形態のバーコードリーダ取り付け具の取付状態の斜視図である。
【図１０】この発明の第８の実施の形態のバーコードリーダ取り付け具の取付状態の斜視図である。
【図１１】この発明の第９の実施の形態のバーコードリーダ取り付け具の取付状態の斜視図である。
【図１２】この発明の第１０の実施の形態のバーコードリーダ取り付け具の取付状態の斜視図である。
【図１３】この発明の第１１の実施の形態のバーコードリーダ取り付け具の取付状態の斜視図である。
【図１４】この発明の第１２の実施の形態のバーコードリーダ取り付け具の取付状態の斜視図である。
【図１５】従来例の斜視図である。
【図１６】別の従来例の斜視図である。
【符号の説明】
１，６，１１，２０，２７，３３，３９，４４，５１，５９，６６，７６      携帯情報端末
２，８，１３，２２，２９，３５，４１，４６，５３，６１，６８，７８      バーコードリーダ取り付け具
３，７，１２，２１，２８，３４，４０，４５，５２，６０，６７，７７      バーコードリーダ
９，１４，２３，３０，３６，４２，４７，５４，６２，６９，７９          バーコードリーダ収納部
１５ａ，１５ｂ  ヒンジ
１６ａ，１６ｂ  トーションばね
２４，２５  マジックテープ
３１  係止爪
３７  マグネット
４９  コネクタ
５６，５８  光通信素子
７４，７５，８４，８５  電源端子
【図１】
0003896228.tif 000002
【図２】
0003896228.tif 000003
【図３】
0003896228.tif 000004
【図４】
0003896228.tif 000005
【図５】
0003896228.tif 000006
【図６】
0003896228.tif 000007
【図７】
0003896228.tif 000008
【図８】
0003896228.tif 000009
【図９】
0003896228.tif 000010
【図１０】
0003896228.tif 000011
【図１１】
0003896228.tif 000012
【図１２】
0003896228.tif 000013
【図１３】
0003896228.tif 000014
【図１４】
0003896228.tif 000015
【図１５】
0003896228.tif 000016
【図１６】
0003896228.tif 000017